(57)【要約】【課題】帳票を立位姿勢で収納部に集積収納する構成において、収納部内における帳票のはみ出しを解消できる帳票取扱装置、および、これを含む帳票管理システムを提供すること。【解決手段】管理装置３は、装置本体１０と、装置本体１０に装填され、通帳Ｔを立位姿勢で集積収納する収納部１５と、装填状態の収納部１５の上側Ｚ１に配置され、集積された通帳Ｔの並び方向である前後方向Ｙに沿って収納部１５に対して相対移動することによって収納部１５内の通帳Ｔの収納状況を検知するセンサユニットと、揃えローラ６０とを含む。揃えローラ６０は、収納部１５内で集積収納された通帳Ｔの高さを揃えて通帳Ｔを整列させる。【選択図】図６
2017027165.tif 000002
【特許請求の範囲】
【請求項１】
装置本体と、
前記装置本体に装填され、帳票を立位姿勢で集積収納する収納部と、
装填状態の前記収納部の上側または下側に配置され、集積された帳票の並び方向に沿って前記収納部に対して相対移動することによって前記収納部内の帳票の収納状況を検知する検知手段と、
前記収納部内で集積収納された帳票の高さを揃えて帳票を整列させる整列手段と、
を含む、帳票取扱装置。
【請求項２】
前記収納部は、前記装置本体に対して前記並び方向に沿って引き出し可能であり、
前記整列手段は、前記装置本体において前記収納部が装填される空間を上側から区画する部分に配置されている、請求項１に記載の帳票取扱装置。
【請求項３】
前記整列手段は、前記装置本体によって上下方向へ揺動可能に支持され、
前記整列手段を下側へ付勢する付勢部材を含む、請求項２に記載の帳票取扱装置。
【請求項４】
前記整列手段の上下方向の位置を調整するための調整機構を含む、請求項２または３に記載の帳票取扱装置。
【請求項５】
前記整列手段は、前記収納部における帳票の収納領域の前記並び方向における全域に亘って設けられ、前記収納部の上側において上下方向へ移動可能である、請求項１に記載の帳票取扱装置。
【請求項６】
前記収納部内の帳票を整列させるための整列指示の入力を受け付ける受付手段と、
前記検知手段による検知結果が不審であるか否かを判断する判断手段と、
前記収納部が前記装置本体に装填されたとき、前記受付手段が前記整列指示の入力を受け付けたとき、および、前記検知手段による検知結果が不審であると前記判断手段が判断したときの少なくともいずれかのタイミングに前記整列手段を上下方向へ移動させる移動手段と、
を含む、請求項５に記載の帳票取扱装置。
【請求項７】
請求項１〜６のいずれか一項に記載の帳票取扱装置と、
前記検知手段による検知結果に基づく情報を表示するための表示部を有する端末装置と、
を含む、帳票管理システム。
【発明の詳細な説明】
【技術分野】
【０００１】
この発明は、通帳等の帳票を取り扱う帳票取扱装置、および、これを含む帳票管理システムに関する。
【背景技術】
【０００２】
帳票取扱装置の一例として、下記特許文献１では通帳発行装置が開示され、下記特許文献２では紙葉類計数装置が開示されている。特許文献１の通帳発行装置では、カセット収納部に取外し可能に装着された通帳カセット内に、複数の通帳が、綴じ目側を上にして傾斜した状態で収納される。通帳カセットの上方には、通帳画像取得部が設けられている。通帳画像取得部の光学センサが、通帳カセットに収納されている通帳の表紙の綴じ目側の画像を取得する。通帳発行装置では、この画像のデータから通帳の計数等が行われる。特許文献２の紙葉類計数装置は、背を上に向けた複数の通帳を積層状態で収納する収納部と、通帳の積層方向に移動することによって収納部内の通帳を計数するセンサとを含む。
【先行技術文献】
【特許文献】
【０００３】
【特許文献１】特開２００７−２５９２１号公報
【特許文献２】特許第５４４３９１５号公報
【発明の概要】
【発明が解決しようとする課題】
【０００４】
特許文献１および２のように帳票を立位姿勢で収納部に集積収納する場合、帳票が収納部へ雑に収納されたり、帳票の取り出しの際に周囲の帳票が引きずられたりすることによって、収納部内において一部の帳票が浮き上がるように周囲の帳票からはみ出すことがある。収納部内で一部の帳票がはみ出ていると、収納部内の帳票の高さが揃っていないので、計数等のために収納部内の帳票の収納状況を正確に検知することが困難であるし、はみ出た帳票が収納部の周囲に接触することで傷んだり収納部から脱落したりする虞もある。
【０００５】
この発明は、かかる背景のもとでなされたもので、帳票を立位姿勢で収納部に集積収納する構成において、収納部内における帳票のはみ出しを解消できる帳票取扱装置、および、これを含む帳票管理システムを提供することを目的とする。
【課題を解決するための手段】
【０００６】
本発明は、装置本体と、前記装置本体に装填され、帳票を立位姿勢で集積収納する収納部と、装填状態の前記収納部の上側または下側に配置され、集積された帳票の並び方向に沿って前記収納部に対して相対移動することによって前記収納部内の帳票の収納状況を検知する検知手段と、前記収納部内で集積収納された帳票の高さを揃えて帳票を整列させる整列手段と、を含む、帳票取扱装置である。
【０００７】
また、本発明は、前記収納部は、前記装置本体に対して前記並び方向に沿って引き出し可能であり、前記整列手段は、前記装置本体において前記収納部が装填される空間を上側から区画する部分に配置されていることを特徴とする。
【０００８】
また、本発明は、前記整列手段は、前記装置本体によって上下方向へ揺動可能に支持され、前記整列手段を下側へ付勢する付勢部材を含むことを特徴とする。
【０００９】
また、本発明は、前記整列手段の上下方向の位置を調整するための調整機構を含むことを特徴とする。
【００１０】
また、本発明は、前記整列手段は、前記収納部における帳票の収納領域の前記並び方向における全域に亘って設けられ、前記収納部の上側において上下方向へ移動可能であることを特徴とする。
【００１１】
また、本発明は、前記収納部内の帳票を整列させるための整列指示の入力を受け付ける受付手段と、前記検知手段による検知結果が不審であるか否かを判断する判断手段と、前記収納部が前記装置本体に装填されたとき、前記受付手段が前記整列指示の入力を受け付けたとき、および、前記検知手段による検知結果が不審であると前記判断手段が判断したときの少なくともいずれかのタイミングに前記整列手段を上下方向へ移動させる移動手段と、を含むことを特徴とする。
【００１２】
また、本発明は、前記帳票取扱装置と、前記検知手段による検知結果に基づく情報を表示するための表示部を有する端末装置と、を含む、帳票管理システムである。
【発明の効果】
【００１３】
本発明によれば、帳票取扱装置では、帳票が、装置本体に装填される収納部内に立位姿勢で集積収納される。装填状態の収納部の上側または下側に配置された検知手段が、集積された帳票の並び方向に沿って収納部に対して相対移動することによって収納部内の帳票の収納状況を検知する。検知された収納状況によって、収納部内の帳票の数を把握できる。つまり、収納部内の帳票を計数できる。
帳票取扱装置では、整列手段が、収納部内で集積収納された帳票の高さを揃えて帳票を整列させる。これにより、収納部内における帳票のはみ出しを解消できる。
【００１４】
本発明によれば、収納部は、装置本体に対して並び方向に沿って引き出し可能であり、整列手段は、装置本体において収納部が装填される空間を上側から区画する部分に配置されている。そのため、装置本体から引き出した収納部を装置本体に装填すると、収納部内の帳票は、整列手段に近い帳票から順に、整列手段によって上側から押し付けられるので、はみ出ていた帳票では、周囲の帳票と高さが揃うように位置が矯正される。これにより、収納部の装填に応じて、収納部内における帳票のはみ出しを解消して帳票を整列させることができる。
【００１５】
本発明によれば、整列手段は、装置本体によって上下方向へ揺動可能に支持され、付勢部材によって下側へ付勢されている。これにより、整列手段は、収納部内の帳票の上端の位置がばらついていても、全ての帳票に上側から接触できるので、全ての帳票の高さを揃えることができる。
【００１６】
本発明によれば、高さ寸法の異なる複数種類の帳票が存在する場合には、調整機構によって整列手段の上下方向の位置を調整することにより、整列手段は、それぞれの種類の帳票に上側から接触できる。
【００１７】
本発明によれば、整列手段は、収納部における帳票の収納領域の並び方向における全域に亘って設けられ、収納部の上側において上下方向へ移動可能である。これにより、整列手段は、下降することによって収納部内の全ての帳票に上側から接触して、これらの帳票の高さを一度に揃えることができる。
【００１８】
本発明によれば、収納部が装置本体に装填されたとき、受付手段が整列指示の入力を受け付けたとき、および、検知手段による検知結果が不審であると判断手段が判断したときの少なくともいずれかのタイミングに、移動手段が整列手段を上下方向へ移動させる。これにより、収納部内の帳票を整列させる必要がある適切なタイミングに、整列手段を上下方向へ移動させて収納部内の帳票を整列させることができる。
【図面の簡単な説明】
【００１９】
【図１】図１は、この発明の一実施形態に係る物品管理装置を正面右上側から見た斜視図である。
【図２】図２は、物品管理装置の縦断面右側面図である。
【図３】図３は、物品管理装置に含まれる帳票取扱装置における引出しユニットを正面右上側から見た斜視図である。
【図４】図４は、収納部が引き出された状態における引出しユニットを正面右上側から見た斜視図である。
【図５】図５は、収納部の模式的な縦断面右側面図である。
【図６】図６は、収納部の要部の模式的な縦断面右側面図である。
【図７】図７は、物品管理装置の電気的な構成を示すブロック図である。
【図８】図８は、物品管理装置に含まれる端末装置の表示部における表示内容の一例を示す模式図である。
【図９】図９は、表示部における表示内容の一例を示す模式図である。
【図１０】図１０は、表示部における表示内容の一例を示す模式図である。
【図１１】図１１は、表示部における表示内容の一例を示す模式図である。
【図１２】図１２は、表示部における表示内容の一例を示す模式図である。
【図１３】図１３は、表示部における表示内容の一例を示す模式図である。
【図１４】図１４は、第１変形例に係る引出しユニットにおける収納部の模式的な縦断面右側面図である。
【図１５】図１５は、第２変形例に係る引出しユニットにおける収納部の模式的な縦断面右側面図である。
【発明を実施するための形態】
【００２０】
以下には、図面を参照して、この発明の実施形態について具体的に説明する。図１は、この発明の帳票管理システムの一実施形態に係る物品管理装置１を正面右上側から見た斜視図である。
【００２１】
図１に示す物品管理装置１は、銀行のオフィス等に設置されていて、帳票や証書等の物品を管理する。図１における左手前側が物品管理装置１の正面側であり、図１における右奥側が物品管理装置１の奥側である。なお、以下では、正面側を前側Ｙ１といったり、奥側を後側Ｙ２といったりすることがある。前側Ｙ１と後側Ｙ２とを結ぶ方向は前後方向Ｙである。前側Ｙ１から物品管理装置１を見たときを基準として、物品管理装置１の左右方向Ｘを規定する。左右方向Ｘは、左側Ｘ１と右側Ｘ２とを含む。物品管理装置１の上下方向Ｚは、上側Ｚ１と下側Ｚ２とを含む。物品管理装置１は、端末装置２と、帳票取扱装置の一例としての管理装置３とを含んでいる。なお、物品管理装置１全体を帳票取扱装置とみなしても構わない。
【００２２】
端末装置２は、物品管理装置１全体を制御する装置であって、物品管理装置１にアクセスする利用者からの様々な入力を受け付けたり、利用者向けの情報を表示したりすることができる。端末装置２は、物品管理装置１の上端部に位置している。端末装置２は、たとえばボックス状に形成されていて、その前面２Ａは、上側Ｚ１へ向かうにつれて後退する傾斜面である。前面２Ａには、略矩形状の表示部４と、表示部４よりも右側Ｘ２に位置する電源スイッチ５および磁気カードリーダ６と、表示部４よりも左側Ｘ１で上下方向Ｚに並ぶカメラ７および非接触カードリーダ８とが設けられている。
【００２３】
表示部４は、液晶のタッチパネルであり、表示部４には、利用者向けの情報が表示されるだけでなく、物品管理装置１を操作するためのタッチキーが表示されたりする。電源スイッチ５は、物品管理装置１の電源を入れたり切ったりするために操作されるスイッチである。磁気カードリーダ６は、上下方向Ｚに延びる溝状部分を有している。利用者が自身のＩＤカード（図示せず）を溝状部分に差し込んで上下方向Ｚにスライドさせると、磁気カードリーダ６は、利用者の認証のために、ＩＤカードの磁気部分から利用者の識別情報等を読み取る。カメラ７は、利用者の認証等のために、物品管理装置１の前側Ｙ１に位置する利用者を撮影する。非接触カードリーダ８は、利用者のＩＤカードのＩＣ部分に非接触でアクセスすることによって、利用者の認証のために、このＩＣ部分から利用者の識別情報等を読み取る。
【００２４】
管理装置３は、１台または複数台設けられている。この実施形態では、端末装置２に対して１台の管理装置３を連結することによって物品管理装置１が構成される。端末装置２と管理装置３とは別々の装置であってもよいし、一体化された１つの装置であってもよい。管理装置３の全体形状は、直方体形状であって、図１では比較的縦長である。管理装置３は、その外殻をなす縦長のボックス状の装置本体１０と、装置本体１０に組み込まれる複数の引出しユニット１１とを含む。この実施形態では、４つの引出しユニット１１が存在し、上下方向Ｚに並んで配置されている。４つの引出しユニット１１を、下側Ｚ２から順に、引出しユニット１１Ａ、引出しユニット１１Ｂ、引出しユニット１１Ｃおよび引出しユニット１１Ｄと区別することがある。この実施形態では、引出しユニット１１Ａおよび引出しユニット１１Ｂは、証書用であり、引出しユニット１１Ｃおよび引出しユニット１１Ｄは、通帳用である。
【００２５】
物品管理装置１の縦断面右側面図である図２を参照して、それぞれの引出しユニット１１は、引出し１２と、フレーム１３とを含む。引出し１２は、前側Ｙ１から見て略矩形の板状に形成された扉１４（図１も参照）と、扉１４に後側Ｙ２から連結された収納部１５とを含む。扉１４の正面には、利用者が指を掛けるための凹状の取っ手１６と、ＬＥＤ等で構成された表示ランプ１７とが設けられている（図１参照）。収納部１５の構成については、先にフレーム１３の説明をした後に、詳しく説明する。装置本体１０内には、それぞれの引出しユニット１１の収納部１５を受け入れる空間１８が形成されている。空間１８は、引出しユニット１１と同数設けられ、これらの空間１８は、上下方向Ｚに並んでいる。
【００２６】
フレーム１３は、装置本体１０において空間１８を左右方向Ｘから区画する内面に少なくとも設けられている。フレーム１３は、装置本体１０と一体化されており、引出し１２を前後方向Ｙに沿ってスライド可能に支持している。そのため、それぞれの引出しユニット１１では、取っ手１６に指を掛けて扉１４を前側Ｙ１に引くと、引出し１２全体が装置本体１０に対して前後方向Ｙに沿って前側Ｙ１に引き出され、このときの引出し１２は、開いた状態にある。逆に、取っ手１６に指を掛けて扉１４を後側Ｙ２に押し込むと、図２に示すように、空間１８が扉１４によって前側Ｙ１から塞がれ、収納部１５が空間１８に受け入れられることによって装置本体１０に装填される。収納部１５が装置本体１０に装填されたときの引出し１２は、閉じた状態にある。
【００２７】
引出しユニット１１Ａの収納部１５は、上側Ｚ１へ向かうにつれて後退するように傾斜した複数のスタッカ１９を前後方向Ｙに連結することによって構成されている。スタッカ１９は、前後方向Ｙに薄いボックス形状であって、その上端に開口１９Ａが形成されている（最後尾のスタッカ１９を参照）。それぞれのスタッカ１９には、複数枚の証書（図示せず）が、スタッカ１９に沿って傾斜した状態で集積収納される。引出しユニット１１Ａの引出し１２を開いて開口１９Ａから証書を差し込むことによって、証書がスタッカ１９に補充される。
【００２８】
引出しユニット１１Ｂの収納部１５は、枠体形状の保持部２０と、保持部２０によって前後方向Ｙにスライド可能に支持された繰出し部２１とを含む。引出しユニット１１Ａの収納部１５を受け入れる空間１８と、引出しユニット１１Ｂの収納部１５を受け入れる空間１８とは上下方向Ｚに連通していて、繰出し部２１は、引出しユニット１１Ａのスタッカ１９を上側Ｚ１から臨んでいる。繰出し部２１は、目標のスタッカ１９の真上に到達するまで前後方向Ｙに移動した後に、繰出しローラ２２をスタッカ１９の開口１９Ａに上側Ｚ１から進出させる。繰出しローラ２２が回転することにより、スタッカ１９内の証書が開口１９Ａから繰り出されて繰出し部２１内に取り込まれる。その後、繰出し部２１は、繰出しローラ２２を退避させてから空間１８の前端の取出位置まで前進する。この状態で引出しユニット１１Ｂの引出し１２を開くと、繰出し部２１の上端に設けられた取出口２３が装置本体１０の外に露出されるので、利用者は、繰出し部２１内の証書を取出口２３から取り出すことができる。
【００２９】
引出しユニット１１Ｃと引出しユニット１１Ｄとは、ほぼ同じ構成を有するので、それぞれの収納部１５もほぼ同じ構成を有する。そこで、以下では、引出しユニット１１Ｃについて詳しく説明し、引出しユニット１１Ｄについての説明を省略する。
【００３０】
図３は、引出し１２を閉じた状態における引出しユニット１１Ｃを正面右上側から見た斜視図である。図３を参照して、引出しユニット１１Ｃのフレーム１３は、前後方向Ｙに長手で平行に延びる左側板３０および右側板３１と、左側板３０および右側板３１の後端部間に架設された左右方向Ｘに長手の後側板３２と、左側板３０および右側板３１の前端部の上端部間に架設されたビーム部材３３とを一体的に含む。左側板３０および右側板３１によって左右方向Ｘから挟まれた領域が、装置本体１０において引出しユニット１１Ｃの収納部１５が装填される空間１８である。後側板３２は、空間１８を後側Ｙ２から塞いでいる。ビーム部材３３は、左右方向Ｘに細長く延びる柱状であって、フレーム１３（つまり装置本体１０）において空間１８の前端を上側Ｚ１から区画する部分である。
【００３１】
図４は、引出し１２を開いて収納部１５が引き出された状態における引出しユニット１１Ｃを正面右上側から見た斜視図である。図４を参照して、引出しユニット１１Ｃの収納部１５は、前後方向Ｙに長手で平行に延びる左側板４０および右側板４１と、左側板４０および右側板４１の後端部間に架設された左右方向Ｘに長手の後側板４２と、左側板４０および右側板４１の前端部間に架設された左右方向Ｘに長手の前側板４３と、底板４４とを一体的に含む。空間１８に装填された装填状態の収納部１５（図３参照）では、左側板４０がフレーム１３の左側板３０に右側Ｘ２から沿い、右側板４１がフレーム１３の右側板３１に左側Ｘ１から沿い、後側板４２がフレーム１３の後側板３２に前側Ｙ１から沿い、前側板４３がフレーム１３のビーム部材３３の真下に位置する。
【００３２】
図４では、右側板４１の右側面に設けられたガイドレール４１Ａが図示されている。ガイドレール４１Ａと同様のガイドレールが左側板４０の左側面にも設けられている。これらのガイドレールを介して、収納部１５は、フレーム１３の左側板３０および右側板３１によって前後方向Ｙに沿ってスライド可能に支持されている。図４には図示していないが、前側板４３には、扉１４（図１参照）が前側Ｙ１から取り付けられている。底板４４は、左側板４０および右側板４１の下端部間に架設されつつ後側板４２および前側板４３の下端部間に架設されている。これにより、収納部１５において左側板４０、右側板４１、後側板４２および前側板４３によって囲まれた内部空間１５Ａは、底板４４によって下側Ｚ２から塞がれている。
【００３３】
内部空間１５Ａは、略左半分を占める左領域４５と、略右半分を占める右領域４６とに仕切られている。左領域４５および右領域４６のそれぞれにおいて、前端部には第１押さえ板４７が設けられ、前後方向における略中央部には第１仕切り板４８および第２押さえ板４９が設けられ、後端部には第２仕切り板５０が設けられている。第１押さえ板４７、第１仕切り板４８、第２押さえ板４９および第２仕切り板５０のそれぞれは、前後方向Ｙに薄く左右方向Ｘに長手の長方形状であり、それぞれの下端部は、底板４４に連結されている。第１押さえ板４７は前側板４３よりも後側Ｙ２に配置され、第１仕切り板４８は第２押さえ板４９よりも前側Ｙ１に配置され、第２仕切り板５０は後側板４２よりも前側Ｙ１に配置されている。
【００３４】
左領域４５において第１押さえ板４７および第１仕切り板４８によって前後方向Ｙから挟まれた前側Ｙ１の領域を「収納領域Ａ」といい、右領域４６において第１押さえ板４７および第１仕切り板４８によって前後方向Ｙから挟まれた前側Ｙ１の領域を「収納領域Ｂ」という。左領域４５において第２押さえ板４９および第２仕切り板５０によって前後方向Ｙから挟まれた後側Ｙ２の領域を「収納領域Ｃ」といい、右領域４６において第２押さえ板４９および第２仕切り板５０によって前後方向Ｙから挟まれた後側Ｙ２の領域を「収納領域Ｄ」という。収納部１５内では、収納領域Ａと収納領域Ｂとが左右方向Ｘに並んでいて、これらの収納領域の後側Ｙ２において、収納領域Ｃと収納領域Ｄとが左右方向Ｘに並んでいる。
【００３５】
収納領域Ａ、収納領域Ｂ、収納領域Ｃおよび収納領域Ｄのそれぞれには、帳票の一例である通帳Ｔが集積収納される。詳しくは、収納領域Ａ、収納領域Ｂ、収納領域Ｃおよび収納領域Ｄのそれぞれには、綴じ目を上側Ｚ１に向けた立位姿勢の複数の通帳Ｔが、前後方向Ｙに積層された状態で収納される。立位姿勢の通帳Ｔは、この実施形態では上下方向Ｚに沿って直立しているが、上下方向Ｚに対して傾斜していてもよい。いずれにせよ、収納領域Ａ〜収納領域Ｄのそれぞれにおいて集積された通帳Ｔの並び方向は、前後方向Ｙである。
【００３６】
第１押さえ板４７は、付勢部材（図示せず）によって第１仕切り板４８に接近するように付勢されている。これにより、収納領域Ａおよび収納領域Ｂのそれぞれに集積収納された通帳Ｔが、第１押さえ板４７によって第１仕切り板４８へ向けて押さえ付けられているので、隣り合う通帳Ｔの間に隙間が生じることが抑制されている。同じ目的のために、第２押さえ板４９は、付勢部材（図示せず）によって第２仕切り板５０に接近するように付勢されている。
【００３７】
引出しユニット１１Ｃは、検知手段の一例であるセンサユニット５５を含む。センサユニット５５に関連して、フレーム１３には、後側板３２の上端部とビーム部材３３との間に架設される一対のガイドレール５６が設けられている。これらのガイドレール５６は、左右方向Ｘに並んでいて、前後方向Ｙに沿って平行に延びている。センサユニット５５は、一対のガイドレール５６間に架設されるように、これらのガイドレール５６によって支持されている。この状態で、センサユニット５５は、ガイドレール５６にガイドされることによって前後方向Ｙに沿ってスライド可能である。センサユニット５５は、スライドすることによって、前後方向Ｙに沿って収納部１５に対して相対移動する。
【００３８】
引出し１２を閉じて収納部１５を装填状態にすると、センサユニット５５は、装填状態の収納部１５の上側Ｚ１に配置される（図３参照）。収納部１５が装填状態にあるときのセンサユニット５５は、第１押さえ板４７よりも前側Ｙ１に配置される前位置と、第２仕切り板５０よりも後側Ｙ２に配置される後位置との間でスライドする。後位置は、センサユニット５５の待機位置である。
【００３９】
収納部１５が装填状態にあるときの引出しユニット１１Ｃの模式的な縦断面右側面図である図５を参照して、センサユニット５５の下面には、左右一対のセンサ５７が設けられている。それぞれのセンサ５７は、一例として、発光素子（図示せず）と受光素子（図示せず）とを備える反射型の光学センサである。白抜き矢印で示すようにセンサユニット５５が前後方向Ｙにスライドすると、左側Ｘ１のセンサ５７は、収納領域Ａおよび収納領域Ｃの上側Ｚ１を前後方向Ｙに横切り、右側Ｘ２のセンサ５７は、収納領域Ｂおよび収納領域Ｄの上側Ｚ１を前後方向Ｙに横切る。図５では、後位置にあるセンサユニット５５が実線で図示され、前位置にあるセンサユニット５５が１点鎖線で図示されている。
【００４０】
センサユニット５５がスライドする際、それぞれのセンサ５７では、発光素子が下側Ｚ２へ向けて投光し、その反射光が受光素子によって受光される。これによって、収納領域Ａ〜収納領域Ｄに集積収納されたそれぞれの通帳Ｔにおいて綴じ目が位置する上端ＴＡの凸形状が、センサ５７からの光によってなぞられる。そのため、スライドを終えたセンサユニット５５は、収納領域Ａ〜収納領域Ｄのそれぞれについて、前後方向Ｙに連なった凸形状を縁取った波形データＷを得る。図５では、センサユニット５５が収納領域Ａや収納領域Ｂの上側Ｚ１をスライドしたことによって得られた波形データＷのイメージが、破線で示されている。
【００４１】
第１押さえ板４７、第１仕切り板４８、第２押さえ板４９および第２仕切り板５０のそれぞれの上端部には、基準部５８が設けられている。左右方向Ｘから見たときにおいて、基準部５８が上側Ｚ１へ向けて略三角形状に尖っているのに対し、通帳Ｔにおいて綴じ目が設けられた上端ＴＡの凸形状は上側Ｚ１へ向けて凸湾曲している。収納領域Ａ〜収納領域Ｄのそれぞれについての波形データＷには、２つの基準部５８に相当する山形部分Ｍが含まれる。波形データＷにおいて２つの山形部分Ｍの間で連続する凸状部分Ｑの１つ１つが、通帳Ｔの上端ＴＡの凸形状の１つ１つに相当する。収納領域Ａ〜収納領域Ｄのそれぞれについての波形データＷにおいて、２つの基準部５８の間に存在する凸状部分Ｑの数が、集積収納された通帳Ｔの数である。
【００４２】
以上のように、センサユニット５５は、前後方向Ｙにスライドすることによって、収納部１５内の収納領域Ａ〜収納領域Ｄのそれぞれにおける通帳Ｔの収納状況である波形データＷを検知する。検知された波形データＷによって、収納領域Ａ〜収納領域Ｄのそれぞれにおける通帳Ｔの数を把握できる。つまり、収納領域Ａ〜収納領域Ｄのそれぞれにおける通帳Ｔを計数できる。ちなみに、生の波形データＷではノイズ等が含まれることによって凸状部分Ｑや山形部分Ｍが不鮮明である場合もあるので、必要に応じて、通帳Ｔの計数に先立って波形データＷにノイズ除去等の加工を施してもよい。
【００４３】
図５では、収納領域Ａや収納領域Ｂで集積収納された通帳Ｔは、上端ＴＡが揃うこと、つまり、高さが揃うことによって整列している。しかし、収納領域Ｃや収納領域Ｄでは、たとえば後側Ｙ２から４番目および６番目の通帳Ｔが上側Ｚ１にはみ出していることによって通帳Ｔ全体の高さが揃っていないので、通帳Ｔ全体が整列していない。これでは、はみ出した通帳Ｔとセンサ５７との上下方向Ｚにおける距離Ｇが適正でなくなるし、通帳Ｔとセンサ５７との距離Ｈが、はみ出した通帳Ｔと、はみ出していない通帳Ｔとでばらつく。これでは、センサ５７の感度にばらつきが生じるので、波形データＷが乱れてしまう。すると、波形データＷから通帳Ｔの数を正確に検知できない。
【００４４】
そこで、引出しユニット１１Ｃは、図６に示すように、整列手段の一例である揃えローラ６０を含んでいる。揃えローラ６０は、左右方向Ｘに延びる中心軸を有する円筒体であって、少なくともその外周部６０Ａは、ゴム等の弾性体で形成されている。揃えローラ６０は、引出しユニット１１Ｃのフレーム１３のビーム部材３３に配置されている。揃えローラ６０は、左右方向Ｘで収納領域Ａや収納領域Ｃと同じ位置と、左右方向Ｘで収納領域Ｂや収納領域Ｄと同じ位置とに、１つずつまたは複数ずつ設けられている。
【００４５】
ビーム部材３３には、揃えローラ６０を支持する支持部材６１が設けられている。支持部材６１は、揃えローラ６０と同数設けられてもよいし、１つの支持部材６１が複数の揃えローラ６０をまとめて支持してもよい。支持部材６１全体は、板バネ等の弾性体で形成されている。そのため、支持部材６１は、付勢部材として機能し、揃えローラ６０を下側Ｚ２へ付勢している。支持部材６１の前端部には、左右方向Ｘに延びる回転軸６１Ａが設けられている。回転軸６１Ａが揃えローラ６０の円中心部分に挿通されることによって、揃えローラ６０は、支持部材６１によって回転可能に支持されている。
【００４６】
揃えローラ６０では、外周部６０Ａにおける少なくとも下側領域が、ビーム部材３３よりも下側Ｚ２にはみ出ていて、引出しユニット１１Ｃの空間１８を上側Ｚ１から臨んでいる。弾性体で形成された支持部材６１は上下方向Ｚに撓むことができるので、揃えローラ６０は、支持部材６１において回転軸６１Ａから離れた後側Ｙ２の部分６１Ｂを支点として上下方向Ｚへ揺動可能である。
【００４７】
利用者が引出しユニット１１Ｃの引出し１２を前側Ｙ１へ引き出して開くと、収納部１５における収納領域Ａ〜収納領域Ｄが上側Ｚ１へ露出される。そこで、利用者は、綴じ目を上側Ｚ１に向けた通帳Ｔを収納領域Ａ〜収納領域Ｄにおける目的の収納領域に収納したり、収納領域Ａ〜収納領域Ｄにおける目的の収納領域から通帳Ｔを取り出したりする。
【００４８】
その後、利用者が引出し１２を閉じるために後側Ｙ２へ押すと、収納領域Ａ〜収納領域Ｄに集積収納されたそれぞれの通帳Ｔは、左右方向Ｘで同じ位置にある揃えローラ６０の下側Ｚ２を通過する。その際、収納部１５内の通帳Ｔは、揃えローラ６０に近い後側Ｙ２の通帳Ｔから順に、揃えローラ６０の外周部６０Ａによって上側Ｚ１から押し付けられる。これにより、今まではみ出ていた通帳Ｔでは、周囲の通帳Ｔと上端ＴＡが揃うように位置が矯正される。そのため、引出し１２を閉じて収納部１５を装填状態にすると、収納領域Ａ〜収納領域Ｄのそれぞれに集積収納された全ての通帳Ｔは、揃えローラ６０による押し付けにより、高さが揃えられて整列する。これにより、収納部１５内における通帳Ｔのはみ出しを解消できる。
【００４９】
通帳Ｔのはみ出しが解消されると、センサユニット５５のセンサ５７と通帳Ｔとの上下方向Ｚの距離Ｈ（図５参照）が全ての通帳Ｔで一定になるので、センサユニット５５は、乱れの少ない波形データＷを得ることができる。これにより、集積収納された通帳Ｔの数を波形データＷから正確に把握できる。なお、通帳Ｔにおいてセンサユニット５５のセンサ５７からの光が当たる部分が、センサユニット５５の検知精度を左右するので、揃えローラ６０は、この部分の周囲に接触できるように、左右方向Ｘにおいてセンサ５７寄りの位置に配置されることが好ましい。
【００５０】
前述したように、揃えローラ６０は、支持部材６１によって上下方向Ｚに揺動可能に支持されるとともに下側Ｚ２へ付勢されている。さらに、揃えローラ６０において通帳Ｔに接触する外周部６０Ａは、ゴム等の弾性体によって形成されている。そのため、製本時の誤差等に起因して収納部１５内のそれぞれの通帳Ｔの上端ＴＡの位置にばらつきがあっても、揃えローラ６０は、全ての通帳Ｔに上側Ｚ１から弾性接触することによってばらつきを吸収できるので、全ての通帳Ｔの高さを揃えることができる。なお、揃えローラ６０を全ての通帳Ｔに接触させるために、待機位置における揃えローラ６０の外周部６０Ａの下端を、全ての通帳Ｔの上端ＴＡよりも下側Ｚ２に位置するように予め位置調整しておく必要がある。
【００５１】
また、揃えローラ６０が通帳Ｔに接触するときには、板バネで構成された支持部材６１が弾性変形したり、外周部６０Ａが弾性変形したりすることによって、揃えローラ６０から通帳Ｔに過剰な圧力がかかることを抑制できる。また、ゴムで形成された外周部６０Ａは柔らかいので、外周部６０Ａが通帳Ｔに接触したときに通帳Ｔに傷が付きにくい。
【００５２】
次に、図７のブロック図を参照して、物品管理装置１の電気的な構成について説明する。端末装置２は、受付手段、判断手段および移動手段の一例としての制御部６５を含んでいる。制御部６５は、マイクロコンピュータ等で構成されている。制御部６５には、前述した表示部４、電源スイッチ５、カメラ７、磁気カードリーダ６および非接触カードリーダ８のそれぞれと、各物品の在庫数といった必要な情報を記憶するメモリ部６６と、Ｉ／Ｆ（インタフェース）部６７とが電気的に接続されている。制御部６５は、Ｉ／Ｆ部６７を介して、管理装置３と通信可能に接続されている。
【００５３】
管理装置３は、電気的な構成として、前述した表示ランプ１７およびセンサユニット５５と、施解錠機構７０と、センサユニット駆動機構７１と、繰出し部駆動機構７２とを含む。制御部６５は、それぞれの引出しユニット１１の表示ランプ１７を任意の態様で点灯させることによって、引出しユニット１１の状況を利用者に報知する。制御部６５は、センサユニット５５によって得られた波形データＷ（図５参照）から、引出しユニット１１Ｃおよび１１Ｄの収納領域Ａ〜収納領域Ｄのそれぞれにおける通帳Ｔを計数する。
【００５４】
施解錠機構７０は、たとえば電磁ロックで構成されており、引出しユニット１１Ａ〜１１Ｄのそれぞれに内蔵されている。施解錠機構７０は、自身を内蔵する引出しユニット１１の引出し１２を閉じた状態で施錠したり、引出し１２を開けるように解錠したりすることができる。施解錠機構７０の施解錠動作は、制御部６５によって制御される。待機状態の物品管理装置１では、原則として、全ての引出しユニット１１における引出し１２が施錠されている。
【００５５】
センサユニット駆動機構７１は、引出しユニット１１Ｃおよび１１Ｄのセンサユニット５５をスライドさせるためのモータ等を含む。制御部６５は、センサユニット駆動機構７１の駆動を制御することによって、センサユニット５５をスライドさせたり停止させたりすることができる。繰出し部駆動機構７２は、引出しユニット１１Ｂ（図２参照）の繰出し部２１をスライドさせたり繰出しローラ２２を進退させたり回転させたりするためのモータ等を含み、制御部６５によって駆動が制御される。
【００５６】
なお、管理装置３は、マイクロコンピュータ等で構成された副制御部（図示せず）を含んでいてもよい。この場合、副制御部は、制御部６５の指示を受けることによって、表示ランプ１７、施解錠機構７０、センサユニット駆動機構７１および繰出し部駆動機構７２を制御したり、波形データＷ（図５参照）から通帳Ｔを計数したりする。また、制御部６５自体が管理装置３に設けられてもよい。
【００５７】
次に、図８〜図１３を参照して、端末装置２の表示部４における表示内容について説明する。物品管理装置１で物品の収納または取出といった取引を行おうとする利用者は、最初に端末装置２にログインしなければならない。
【００５８】
待機状態の物品管理装置１では、図８に示すように、端末装置２の表示部４に、案内画面７５が表示されている。もちろん、案内画面７５は、物品管理装置１が待機状態あるときに常に表示されなくてもよく、物品管理装置１に利用者が接近したことに応じて表示部４に表示されてもよい。案内画面７５は、利用者に対してログインのためにＩＤカードを端末装置２の前面２Ａにタッチさせて非接触カードリーダ８に接近させるように促すメッセージやイラストを含む。利用者がＩＤカードをタッチさせると、非接触カードリーダ８によってＩＤカードから利用者の識別情報が読み取られる。もちろん、磁気カードリーダ６によってＩＤカードから識別情報を読み取ってもよいし、案内画面７５の右下に表示された入力キー７６を押すことにより、その後に表示部４に表示されるテンキー（図示せず）によって利用者が識別情報を手入力してもよい。
【００５９】
利用者の識別情報は、メモリ部６６（図７参照）に記憶されており、制御部６５は、読み取られたり手入力されたりした識別情報と、メモリ部６６に記憶された識別情報とを照合して、本人認証を行う。本人認証が済めば、ログインが成功したことになる。なお、本人認証の際に、利用者毎に予め定められたパスワードの入力がさらに必要であってもよい。ログインが成功すると、制御部６５は、図９に示すように、表示部４にメニュー画面７７を表示させる。メニュー画面７７には、引出しユニット１１Ａ〜Ｄを直接指定して取引を行いたい場合に押すユニット選択キー７８と、取引したい物品を選択するために物品毎に設けられた複数の物品選択キー７９とが表示されている。なお、メニュー画面７７の左下に表示されたログアウトキー８０を押すことによって、ログアウトして今回の取引をキャンセルできる。また、ログイン中の利用者の名前（図９では○△×）が表示部４の左上の隅等に表示されてもよい。
【００６０】
この実施形態の物品選択キー７９は、バラ通帳選択キー７９Ａと、束通帳選択キー７９Ｂと、バラ証書選択キー７９Ｃと、束証書選択キー７９Ｄと、現金選択キー７９Ｅと、その他管理物選択キー７９Ｆとを含んでいる。バラの通帳Ｔを選択する場合にはバラ通帳選択キー７９Ａが押され、通帳Ｔの束を選択する場合には束通帳選択キー７９Ｂが押され、バラの証書を選択する場合にはバラ証書選択キー７９Ｃが押される。証書の束を選択する場合には束証書選択キー７９Ｄが押され、現金を選択する場合には現金選択キー７９Ｅが押され、その他の物品を選択する場合にはその他管理物選択キー７９Ｆが押される。
【００６１】
以下では、利用者がバラ通帳選択キー７９Ａを押す場合について説明する。利用者がバラ通帳選択キー７９Ａを押すと、制御部６５は、図１０に示すように、表示部４にバラの通帳Ｔについての選択画面８１を表示させる。選択画面８１の左下に表示された戻るキー８２を押すことによって、直前のメニュー画面７７（図９参照）に戻ることができる。
【００６２】
この実施形態では、バラの通帳Ｔは、引出しユニット１１Ｃおよび１１Ｄの収納領域Ａ〜収納領域Ｄに収納されている。最上位の引出しユニット１１Ｄに関し、収納領域Ａに収納される通帳Ｔの名称を「通帳００１」といい、収納領域Ｂに収納される通帳Ｔの名称を「通帳００２」といい、収納領域Ｃに収納される通帳Ｔの名称を「通帳００３」といい、収納領域Ｄに収納される通帳Ｔの名称を「通帳００４」という。上側Ｚ１から２番目の引出しユニット１１Ｄに関し、収納領域Ａに収納される通帳Ｔの名称を「通帳００５」といい、収納領域Ｂに収納される通帳Ｔの名称を「通帳００６」といい、収納領域Ｃに収納される通帳Ｔの名称を「通帳００７」といい、収納領域Ｄに収納される通帳Ｔの名称を「通帳００８」という。通帳Ｔの名称は、通帳Ｔの種類でもある。
【００６３】
選択画面８１には、通帳Ｔが収納される収納部１５に連結された扉１４を識別するための扉番号と、通帳Ｔの現時点における在庫数と、取引数とが通帳Ｔの名称毎に表示される。ちなみに、この実施形態における扉番号は、引出しユニット１１Ｄの扉１４の場合は「０１」であり、引出しユニット１１Ｃの扉１４の場合は「０２」であり、引出しユニット１１Ｂの扉１４の場合は「０３」であり、引出しユニット１１Ａの扉１４の場合は「０４」である。また、選択画面８１には、テンキー８３と、収納キー８４と、取出キー８５と、消去キー８６と、決定キー８７とが表示されている。
【００６４】
選択画面８１において通帳Ｔの名称が表示された部分はタッチキー８８になっていて、利用者は、取引したい通帳Ｔの名称が表示されたタッチキー８８を押すことによって、取引対象の通帳Ｔの名称を特定する。
【００６５】
利用者は、特定した通帳Ｔを収納する取引を行いたい場合には、テンキー８３で収納数を指定して収納キー８４を押すと、選択画面８１では、該当する取引数が、当初の０（零）から、指定した収納数に変化する（通帳００１の取引数を参照）。取引数を間違えた場合には、消去キー８６を押せば取引数を入力し直せる。一方、利用者は、特定した通帳Ｔを取り出す取引を行いたい場合には、テンキー８３で取出数を指定して取出キー８５を押すと、選択画面８１では、該当する取引数が、当初の０から、指定した取出数に変化する（通帳００３の取引数を参照）。なお、取引数の表示の後に、取引が収納および取出のどちらであるかが括弧書き等で表示されてもよい。また、テンキー８３を押すタイミングと、収納キー８４または取出キー８５を押すタイミングとは、どちらが先であってもよい。
【００６６】
利用者は、取引数を入力した後に、決定キー８７を押して今回の取引を決定する。すると、制御部６５は、利用者によって特定された通帳Ｔを収納する引出しユニット１１の施解錠機構７０（図７参照）を動作させ、この引出しユニット１１の引出し１２を解錠する。また、制御部６５は、引出し１２を解錠したことを利用者に報知するために、図１１に示す解錠報知画面８９を表示部４に表示させる。解錠報知画面８９では、物品管理装置１を正面から見たイメージが表示されていて、解錠された引出し１２の扉１４（図１１では扉番号０１の扉１４）だけが強調表示されている。また、解錠報知画面８９では、解錠された引出し１２の収納領域Ａ〜Ｄにおいて取引対象の通帳Ｔについての収納領域がどれであるかを知らせるポップアップ画面９０が表示されてもよい。利用者は、解錠報知画面８９のガイドに従って引出し１２を開いて、この引出し１２の収納部１５において該当する収納領域に収納数分のバラの通帳Ｔを新たに収納（補充）したり、該当する収納領域から取出数分のバラの通帳Ｔを取り出したりすることができる。
【００６７】
通帳Ｔの収納や取出を終えた利用者が引出し１２を閉めると、前述したように、この引出し１２の収納領域Ａ〜収納領域Ｄのそれぞれに集積収納された全ての通帳Ｔは、揃えローラ６０（図６参照）によって高さが揃えられて整列させられる。
【００６８】
たとえば、各引出しユニット１１には、引出し１２の開閉を検知するセンサ（図示せず）が設けられていて、制御部６５は、当該センサに基づいて、引出し１２の開閉を監視する。利用者が引出し１２を閉めると、制御部６５は、この引出し１２の施解錠機構７０を動作させて引出し１２を施錠する。そして、制御部６５は、センサユニット駆動機構７１を駆動させて、センサユニット５５を前述した前位置と後位置との間で往復させる。制御部６５は、センサユニット５５の検知結果である波形データＷ（図５参照）に基づいて、収納領域Ａ〜収納領域Ｄのそれぞれにおける通帳Ｔを計数する。
【００６９】
通帳Ｔの計数を終えた制御部６５は、図１２に示すように、今回の計数の結果を示す計数結果表示画面９１を表示部４に表示させる。計数結果表示画面９１には、開閉された引出し１２に収納された通帳Ｔの名称である通帳名と、利用者が選択画面８１（図１０参照）で入力した取引数を示す入力内容と、今回の取引での取扱い結果として収納または取出が行われた通帳Ｔの数と、計数後の通帳Ｔの在庫数とが通帳名毎に表示される。なお、計数後の在庫数は、先ほどの計数によって得られた値であり、取扱い結果は、計数後の在庫数と計数前の在庫数（図１０参照）との差である。在庫数および取扱い結果は、センサユニット５５による検知結果に基づく情報である。入力内容と取扱い結果とが一致することによって計数結果表示画面９１の内容に問題がなければ、利用者は、計数結果表示画面９１の右下の完了キー９２を押す。
【００７０】
利用者が完了キー９２を押すと、制御部６５は、図１３に示す完了画面９３を表示する。完了画面９３には、ログアウトキー９４および操作選択キー９５が表示されている。利用者は、ログアウトキー９４を押すことによって、今回の取引を終了させることができ、操作選択キー９５を押すことによって、新たな取引を引き続き行うことができる。なお、制御部６５は、利用者がログアウトキー９４や操作選択キー９５を押したことに応じて、先ほど閉められた引出し１２を施錠してもよい。また、前述した入力内容と取扱い結果とが一致しなかった場合や、通帳Ｔの高さが揃っていない等によって通帳Ｔが正常に計数されなかった場合には、制御部６５は、アラーム等を報知することによって、表示部４への再操作を利用者に促してもよい。
【００７１】
この発明は、以上の実施形態の内容に限定されるものではなく、請求項記載の範囲内において種々の変更が可能である。
【００７２】
前述した実施形態では、センサユニット５５が、装填状態で静止した収納部１５の上側Ｚ１に配置され、前後方向Ｙに沿って実際に移動することによって収納部１５内の通帳Ｔの収納状況を検知する（図５参照）。これに代え、センサユニット５５の位置が固定されていて、装填の際に収納部１５がセンサユニット５５の下側Ｚ２を前後方向Ｙに沿って移動するときにセンサユニット５５が通帳Ｔの収納状況を検知してもよい。この場合も、前述した実施形態と同様に、センサユニット５５は、収納部１５に対して前後方向Ｙに相対移動することになる。この場合、センサユニット５５は、揃えローラ６０の近傍の位置に固定される。
【００７３】
揃えローラ６０によって整列させられる帳票は、前述した通帳Ｔに限らず、カードや証書や小切手帳や束紙幣等の媒体であってもよい。
【００７４】
前述した揃えローラ６０の上下方向Ｚの位置を調整するための調整機構９６（図６参照）が、引出しユニット１１Ｃや引出しユニット１１Ｄに設けられてもよい。調整機構９６は、たとえば、支持部材６１を保持した状態で上下方向Ｚにスライド可能なスライド部材９６Ａと、ダイヤル９６Ｂとを含む（図６参照）。スライド部材９６Ａは、引出しユニット１１Ｃのフレーム１３のビーム部材３３によって支持されている。たとえばスライド部材９６Ａとダイヤル９６Ｂとがラックアンドピニオン機構を構成していて、ピニオン側のダイヤル９６Ｂを操作すると、ラック側のスライド部材９６Ａが、揃えローラ６０および支持部材６１を伴って上下方向Ｚにスライドする。そのため、高さ寸法の異なる複数種類の通帳Ｔが存在する場合には、調整機構９６によって揃えローラ６０の上下方向Ｚの位置を調整できる。たとえば、高さ寸法の大きい通帳Ｔの場合には揃えローラ６０を高くし、高さ寸法の小さい通帳Ｔの場合には揃えローラ６０を低くする。これにより、揃えローラ６０は、それぞれの種類の通帳Ｔに上側Ｚ１から接触できる。
【００７５】
センサユニット５５は、装填状態の収納部１５の下側Ｚ２に配置されてもよい。この場合、収納部１５内では通帳Ｔが、綴じ目が下側Ｚ２を向くように、前述した実施形態（図５参照）とは上下方向Ｚにおいて逆向きに収納される。なお、センサユニット５５のセンサ５７からの光が収納部１５内の通帳Ｔに届くように、収納部１５の底板４４には、この光を通すスリット（図示せず）が形成されている。
【００７６】
引出しユニット１１Ｃおよび１１Ｄの各収納部１５の収納領域Ａ〜Ｄにおける通帳Ｔを整列させるための整列手段として、前述した揃えローラ６０を用いる以外に、以下に示す第１変形例および第２変形例に係る構成が挙げられる。
【００７７】
図１４は、第１変形例に係る収納部１５の模式的な縦断面右側面図である。なお、図１４および後述する図１５では、今まで説明した部材と同じ部材には、同じ符号を付して、その説明を省略する。第１変形例に係る整列手段は、前後方向Ｙに長手の長尺部材９７であって、収納領域Ａ〜Ｄの上側Ｚ１に配置されている。長尺部材９７は、収納領域Ａ〜Ｄのそれぞれの前後方向Ｙにおける全域に亘って設けられる。つまり、長尺部材９７は、収納領域Ａ〜Ｄのそれぞれと前後方向Ｙにおいて同等以上の長さを有する。なお、図１４の長尺部材９７は、収納領域ＡおよびＣの両方または収納領域ＢおよびＤの両方に跨るように一対設けられているが、収納領域Ａ〜Ｄのそれぞれの前後方向Ｙにおける寸法と同じ長さを有していてもよい。この場合、収納領域Ａ〜Ｄのそれぞれに長尺部材９７が１つまたは複数設けられる。
【００７８】
長尺部材９７の真上には、長尺部材９７を収納領域Ａ〜Ｄの上側Ｚ１において上下方向Ｚへ移動させるアクチュエータ９８が設けられている。アクチュエータ９８は、たとえば、左右方向Ｘから見て略楕円形状のカム９８Ａと、左右方向Ｘに延びてカム９８Ａを回転可能に支持する回転軸９８Ｂと、装置本体１０側に支持されて長尺部材９７を上側Ｚ１へ付勢するバネ等の付勢部材９８Ｃとを含む。回転軸９８Ｂは、装置本体１０側に固定されたモータ等の駆動機構（図示せず）に連結されている。制御部６５が駆動機構を駆動させると、回転軸９８Ｂがカム９８Ａを伴って回転する。
【００７９】
待機位置にある長尺部材９７は、実線で示すように収納部１５内の通帳Ｔから上側Ｚ１に離れている。このときのカム９８Ａは、実線で示すように前後方向Ｙに長手となっている。この状態で回転軸９８Ｂが下側Ｚ２へ回転すると、破線で示すようにカム９８Ａも下側Ｚ２へ回転し、その際、長尺部材９７を押し下げる。押し下げられた長尺部材９７は、破線で示すように、下降することによって収納部１５内の全ての通帳Ｔに上側Ｚ１から接触して、これらの通帳Ｔの高さを一度に揃えることができる。その後、カム９８Ａが元の位置まで回転すると、長尺部材９７は、付勢部材９８Ｃの付勢力によって待機位置まで上昇する。なお、カム９８Ａの回転量を調整することによって、高さ寸法の異なる通帳Ｔであっても、狙った位置まで長尺部材９７を押し下げて通帳Ｔに接触させることができる。
【００８０】
揃えローラ６０の用いる場合には、引出し１２を閉める度に、収納部１５の通帳Ｔが揃えローラ６０によって整列させられる。一方、第１変形例の場合には、以下に示す第１〜第３のタイミングの少なくともいずれかに、制御部６５が長尺部材９７を上下方向Ｚへ移動させて収納部１５の通帳Ｔを整列させる。
【００８１】
第１のタイミングとは、利用者が引出し１２を閉めて当該引出し１２の収納部１５が装置本体１０に装填されたときである。ちなみに、制御部６５は、前述した引出し１２の開閉を検知するセンサ（図示せず）に基づいて、収納部１５が装置本体１０に装填されたことを把握する。第２のタイミングとは、利用者による表示部４でのタッチキーの操作等によって、制御部６５が、収納部１５内の通帳Ｔを整列させるための整列指示の入力を受け付けたときである。第３のタイミングとは、波形データＷ（図５参照）が乱れていることによってセンサユニット５５による検知結果が不審であると制御部６５が判断したときである。第１〜第３のタイミングのように収納部１５内の通帳Ｔを整列させる必要がある適切なタイミングに、揃えローラ６０を上下方向Ｚに移動させて収納部１５内の通帳Ｔを整列させることができる。なお、第３のタイミングに収納部１５内の通帳Ｔを整列させた場合には、その後に、センサユニット５５による検知があらためて実施される。
【００８２】
図１５は、第２変形例に係る収納部１５の模式的な縦断面右側面図である。第２変形例に係る整列手段は、収納領域Ａ〜Ｄのそれぞれに設けられる蓋９９である。蓋９９は、収納領域Ａ〜Ｄにおいて対応する領域を上側Ｚ１から塞ぐ大きさを有する板状であり、ヒンジ等を介して引出し１２によって開閉可能に支持されている。収納領域Ａ〜Ｄにおいて対応する収納領域を塞いだ蓋９９は、当該収納領域内の全ての通帳Ｔの上端ＴＡに上側Ｚ１から接触することによって、これらの通帳Ｔの高さを揃える。また、このように収納領域が蓋９９によって塞がれているので、収納領域からの通帳Ｔの飛び出しを防止できる。なお、センサユニット５５のセンサ５７からの光が収納部１５内の通帳Ｔに届くように、蓋９９には、この光を通すスリット（図示せず）が形成されている。
【符号の説明】
【００８３】
１      物品管理装置
２      端末装置
３      管理装置
４      表示部
１０    装置本体
１５    収納部
１８    空間
３３    ビーム部材
５５    センサユニット
６０    揃えローラ
６１    支持部材
６５    制御部
９６    調整機構
９７    長尺部材
９９    蓋
Ａ〜Ｄ  領域
Ｔ      通帳
Ｙ      前後方向
Ｚ      上下方向
Ｚ１    上側
Ｚ２    下側  
【図１】
2017027165.tif 000003
【図２】
2017027165.tif 000004
【図３】
2017027165.tif 000005
【図４】
2017027165.tif 000006
【図５】
2017027165.tif 000007
【図６】
2017027165.tif 000008
【図７】
2017027165.tif 000009
【図１４】
2017027165.tif 000010
【図１５】
2017027165.tif 000011
【図８】
2017027165.tif 000012
【図９】
2017027165.tif 000013
【図１０】
2017027165.tif 000014
【図１１】
2017027165.tif 000015
【図１２】
2017027165.tif 000016
【図１３】
2017027165.tif 000017